(57)【要約】  ワイヤレス通信システムは、ワイヤレス送信／受信ユニット（ＷＴＲＵ）を含んでいる。ＷＴＲＵは、ベースラインコードブックに基づいて少なくとも１つのローカルコードブックを生成し、そしてフィードバックに関連するそのローカルコードブックからコードワードを選択するように構成されている。
2009536805.tif 000002
【特許請求の範囲】
【請求項１】
ワイヤレス通信システムにおけるワイヤレス送信受信ユニット（ＷＴＲＵ）であって、
ベースラインコードブックに基づいて少なくとも１つのローカルコードブックを生成する手段と、
前記少なくとも１つのローカルコードブックからプリコーディングベクトルを選択する手段と
を具えて構成されていることを特徴とするワイヤレス送信受信ユニット（ＷＴＲＵ）。
【請求項２】
さらに、複数の瞬間チャネル変化を追跡するために十分に時間を調整された間隔で、選択されたプリコーディングベクトルをアップデートするように構成されていることを特徴とする請求項１記載のＷＴＲＵ。
【請求項３】
さらに、プリコーディングベクトルの前記選択することをアップデートするためにフィードバックを使用するように構成されていることを特徴とする請求項１記載のＷＴＲＵ。
【請求項４】
さらに、複数のチャネル変化を測定するように構成されていることを特徴とする請求項１記載のＷＴＲＵ。
【請求項５】
前記ローカルコードブックは、前記ベースラインコードブックよりも小さいことを特徴とする請求項１記載のＷＴＲＵ。
【請求項６】
前記ローカルコードブックは、通信チャネルにおける追跡する変化に対応するようにサイズ変更されることを特徴とする請求項１記載のＷＴＲＵ。
【請求項７】
前記ローカルコードブックは、複数の変化する通信チャネル状態に対応するようにサイズ変更されることを特徴とする請求項１記載のＷＴＲＵ。
【請求項８】
さらに、
複数のローカルコードブックを作成するように、そして
通信チャネル変化または通信チャネル状態に基づいて前記複数のローカルコードブックのうちの１つを選択するように
構成されていることを特徴とする請求項１記載のＷＴＲＵ。
【請求項９】
さらに、前記ベースラインコードブックの中のコードワードの相関関係に基づいて前記ローカルコードブックについてのコードワードを選択するように構成されていることを特徴とする請求項１記載のＷＴＲＵ。
【請求項１０】
さらに、第１のローカルコードブックを生成するように構成されており、前記第１のローカルコードブックは、第１の組のコードワードと第２のローカルコードブックとを含み、前記第２のローカルコードブックは、第２の組のコードワードを含むことを特徴とする請求項１記載のＷＴＲＵ。
【請求項１１】
前記第１の組のコードワードは、前記第２の組のコードワードとは相互に排他的であることを特徴とする請求項１０記載のＷＴＲＵ。
【請求項１２】
さらに、現在使用されるコードワードに対する比較的より高い相関関係を有する、前記ベースラインコードブックからのコードワードを選択することにより低速チャネル変化についてのコードワードを選択するように構成されていることを特徴とする請求項１記載のＷＴＲＵ。
【請求項１３】
さらに、現在使用されるコードワードに対する比較的より低い相関関係を有する、前記ベースラインコードブックからのコードワードを選択することにより高速チャネル変化についてのコードワードを選択するように構成されていることを特徴とする請求項１記載のＷＴＲＵ。
【請求項１４】
さらに、現在使用されるコードワードを除いて前記ベースラインコードブックの中の前記使用可能なコードワードのうちから前記ローカルコードブックについてのコードワードを選択するように構成されていることを特徴とする請求項１記載のＷＴＲＵ。
【請求項１５】
前記第１の組のコードワードと、前記第２の組のコードワードとは、少なくとも１つの共通なコードワードを含むことを特徴とする請求項１０記載のＷＴＲＵ。
【請求項１６】
前記第２の組のコードワードは、前記第１の組のコードワードを含むことを特徴とする請求項１０記載のＷＴＲＵ。
【請求項１７】
前記第１の組のコードワードの中のコードワードの数と、前記第２の組のコードワードの中のコードワードの数とは、等しいことを特徴とする請求項１記載のＷＴＲＵ。
【請求項１８】
前記第１の組のコードワードの中のコードワードの数と、前記第２の組のコードワードの中のコードワードの数とは、等しくないことを特徴とする請求項１０記載のＷＴＲＵ。
【請求項１９】
前記フィードバックは、ダウンリンクチャネルについて使用されることを特徴とする請求項３記載のＷＴＲＵ。
【請求項２０】
前記フィードバックは、アップリンクチャネルについて使用されることを特徴とする請求項１記載のＷＴＲＵ。
【請求項２１】
前記ＷＴＲＵは、多入力多出力（ＭＩＭＯ）システムにおいて動作するように構成されていることを特徴とする請求項１記載のＷＴＲＵ。
【請求項２２】
前記ＷＴＲＵは、チャネル相関関係と、チャネル変化レートと、移動速度と、ドップラーシフトと、位相変化を測定するように構成されていることを特徴とする請求項１記載のＷＴＲＵ。
【請求項２３】
ワイヤレス通信システムにおけるフィードバックを決定する方法であって、
ベースラインコードブックに基づいて少なくとも１つのローカルコードブックを生成するステップと、
前記少なくとも１つのローカルコードブックからプリコーディングベクトルを選択するステップと、
複数の瞬間チャネル変化を追跡するために十分に時間を調整された間隔で、選択されたプリコーディングベクトルをアップデートするステップと
を具えたことを特徴とする方法。
【請求項２４】
選択されたプリコーディングベクトルを前記アップデートすることは、フィードバックに基づいていることを特徴とする請求項２３記載の方法。
【請求項２５】
複数のチャネル変化とチャネル状態とを測定することをさらに含むことを特徴とする請求項２３記載の方法。
【請求項２６】
前記チャネル変化または前記チャネル状態に基づいて前記ローカルコードブックをサイズ変更することをさらに含むことを特徴とする請求項２５記載の方法。
【請求項２７】
前記ローカルコードブックは、前記ベースラインコードブックよりも小さいことを特徴とする請求項２３記載の方法。
【請求項２８】
複数のローカルコードブックを作成すること、および
前記のチャネル変化またはチャネル状態に基づいて前記複数のローカルコードブックのうちの１つを選択すること
をさらに含むことを特徴とする請求項２６記載の方法。
【請求項２９】
前記ベースラインコードブックの中のコードワードの相関関係に基づいて前記ローカルコードブックについてのコードワードを選択することをさらに含むことを特徴とする請求項２８記載の方法。
【請求項３０】
第１の組のコードワードを含む第１のローカルコードブックを生成すること、および
第２の組のコードワードを含む第２のローカルコードブックを生成すること
をさらに含むことを特徴とする請求項２３記載の方法。
【請求項３１】
前記第１の組のコードワードと、前記第２の組のコードワードとは、相互に排他的であることを特徴とする請求項３０記載の方法。
【請求項３２】
前記第１の組のコードワードと、前記第２の組のコードワードとは、少なくとも１つの共通のコードワードを含むことを特徴とする請求項３０記載の方法。
【請求項３３】
前記第２の組のコードワードは、前記第１の組のコードワードを含むことを特徴とする請求項３０記載の方法。
【請求項３４】
前記第１の組のコードワードの中のコードワードの数と、前記第２の組のコードワードの中のコードワードの数とは、等しいことを特徴とする請求項３０記載の方法。
【請求項３５】
前記第１の組のコードワードの中のコードワードの数と、前記第２の組のコードワードの中のコードワードの数とは、等しくないことを特徴とする請求項３０記載の方法。
【請求項３６】
チャネル相関関係と、チャネル変化レートと、移動速度と、ドップラーシフトと、位相変化とを測定することをさらに含むことを特徴とする請求項２３記載の方法。
【請求項３７】
現在使用されるコードワードに対する比較的より高い相関関係を有する、前記ベースラインコードブックからのコードワードを選択することにより低速チャネル変化についてのコードワードを選択することをさらに含むことを特徴とする請求項２３記載の方法。
【請求項３８】
現在使用されるコードワードに対する比較的より低い相関関係を有する、前記ベースラインコードブックからのコードワードを選択することにより高速チャネル変化についてのコードワードを選択することをさらに含むことを特徴とする請求項２３記載の方法。
【請求項３９】
現在使用されるコードワードを除いて前記ベースラインコードブックの中の使用可能なコードワードのうちから前記ローカルコードブックについてのコードワードを選択することをさらに含むことを特徴とする請求項２３記載の方法。
【発明の詳細な説明】
【技術分野】
【０００１】
本発明は、一般にワイヤレス通信の分野に関する。より詳細には、本発明は、ワイヤレス通信システムにおける可変フィードバックに関する。
【背景技術】
【０００２】
３ＧＰＰおよび３ＧＰＰ２は、ワイヤレス通信システムの長期展開を考えている規格団体（ｓｔａｎｄａｒｄ  ｂｏｄｙ）である。それらの団体は、次世代ネットワークにおけるフィードバックについての仕様を公布してきている。
【０００３】
特に、ワイヤレス仕様３ＧＰＰ２５．８１４は、プリコーディング（ｐｒｅｃｏｄｉｎｇ）について必要とされる追加の任意のフィードバックについて、追加のフィードバックに起因して課せられる関連した任意の計算複雑度が、考慮に入れられるべきであることを規定している。
【０００４】
さらに、仕様は、コードブックベースのフィードバック法が、シグナリングオーバーヘッド（ｓｉｇｎａｌｉｎｇ  ｏｖｅｒｈｅａｄ）を低減させるためにコードブックからプリコーディングベクトル（ｐｒｅｃｏｄｉｎｇ  ｖｅｃｔｏｒ）を選択すべきであることを述べている。コードブックのサイズは、最小にされるべきであり、コードブックは、静的であるべきである。
【発明の概要】
【発明が解決しようとする課題】
【０００５】
コードブックが使用されるかどうかに関係なく、フィードバックの量は、最小にされるべきである。さらに、選択されたプリコーディングベクトルのアップデート間隔は、瞬間チャネル変化を追跡するのに十分に短くすべきである。したがって、フィードバックについての効率的な方法は、次世代ワイヤレスネットワーク、特に多入力多出力（ｍｕｌｔｉｐｌｅ−ｉｎｐｕｔ／ｍｕｌｔｉｐｌｅ−ｏｕｔｐｕｔ）（ＭＩＭＯ）システムについて望ましい。
【課題を解決するための手段】
【０００６】
本発明は、ワイヤレス通信システムにおける可変フィードバックのための方法および装置を含んでいる。本方法および本装置は、ベースラインコードブック（ｂａｓｅｌｉｎｅ  ｃｏｄｅｂｏｏｋ）と、ローカルコードブック（ｌｏｃａｌ  ｃｏｄｅｂｏｏｋ）との使用を含んでいる。ローカルコードブックは、ベースラインコードブックのサブセットである。ローカルコードブックは、ある種の判断基準に基づいて選択されるコードワード（ｃｏｄｅｗｏｒｄ）を含む。
すなわち、ワイヤレス通信システムに含まれるワイヤレス送信／受信ユニット（ＷＴＲＵ）は、ベースラインコードブックに基づいて少なくとも１つのローカルコードブックを生成し、フィードバックに関連するそのローカルコードブックからコードワードを選択するように構成される。
【０００７】
本発明のより詳細な理解は、例として与えられ、添付図面（単数または複数）に関連して理解されるべき好ましい実施形態の以下の説明から有することができる。
【図面の簡単な説明】
【０００８】
【図１】本発明に従って構成された、アクセスポイント（ＡＰ）と、複数のワイヤレス送信／受信ユニット（ＷＴＲＵ）とを含む例示のワイヤレスシステムを示す図である。
【図２】図１のワイヤレス通信システムのＡＰとＷＴＲＵとの機能ブロック図である。
【図３】本発明の一実施形態によるベースラインコードブックとローカルコードブックとのブロック図である。
【図４】本発明の追加の一実施形態によるベースラインコードブックとローカルコードブックとのブロック図である。
【図５】本発明の別の実施形態によるベースラインコードブックとローカルコードブックとのブロック図である。
【図６】本発明の別の実施形態によるベースラインコードブックとローカルコードブックとのブロック図である。
【発明を実施するための形態】
【０００９】
以下で言及されるときに、専門用語「ワイヤレス送信／受信ユニット（ｗｉｒｅｌｅｓｓ  ｔｒａｎｓｍｉｔ／ｒｅｃｅｉｖｅ  ｕｎｉｔ）（ＷＴＲＵ）」は、それだけには限定されないが、ユーザ装置（ｕｓｅｒ  ｅｑｕｉｐｍｅｎｔ）（ＵＥ）、移動局、固定のまたはモバイルの加入者ユニット、ページャ、セルラ電話、携帯型個人情報端末（ｐｅｒｓｏｎａｌ  ｄｉｇｉｔａｌ  ａｓｓｉｓｔａｎｔ）（ＰＤＡ）、コンピュータ、あるいはワイヤレス環境において動作することができる他の任意のタイプのユーザデバイスを含む。以下で言及されるときに、専門用語「基地局（ｂａｓｅ  ｓｔａｔｉｏｎ）」は、それだけには限定されないが、ノードＢ（Ｎｏｄｅ−Ｂ）、サイトコントローラ、アクセスポイント（ａｃｃｅｓｓ  ｐｏｉｎｔ）（基地局（Ｂａｓｅ  ｓｔａｔｉｏｎ））、あるいはワイヤレス環境において動作することができる他の任意のタイプのインターフェーシングデバイス（ｉｎｔｅｒｆａｃｉｎｇ  ｄｅｖｉｃｅ）を含む。
【００１０】
次に図１を参照すると、本発明に従って構成された例示のワイヤレス通信システム１００が示されている。ワイヤレス通信システム１００は、互いにワイヤレスに通信することができる、ＡＰ１１０や複数のＷＴＲＵ１２０など、複数のワイヤレス通信デバイスを含んでいる。ワイヤレス通信システム１００に示されるワイヤレス通信デバイスは、ＡＰとＷＴＲＵとして示されるが、ワイヤレスデバイスの任意の組合せは、ワイヤレス通信システム１００を構成することができることが理解されるべきである。すなわち、ワイヤレス通信システム１００は、ＡＰ、ＷＴＲＵ、局（ＳＴＡ）などの任意の組合せを備えることができる。
【００１１】
例えば、ワイヤレス通信システム１００は、インフラストラクチャモード（ｉｎｆｒａｓｔｒｕｃｔｕｒｅ  ｍｏｄｅ）で動作するＡＰおよびクライアントデバイス、アドホックモード（ａｄ−ｈｏｃ  ｍｏｄｅ）で動作するＷＴＲＵ、ワイヤレスブリッジ（ｗｉｒｅｌｅｓｓ  ｂｒｉｄｇｅ）としての機能を果たすノード、またはそれらの任意の組合せを含むことができる。さらに、本発明の好ましい実施形態においては、ワイヤレス通信システム１１００は、ワイヤレスローカルエリアネットワーク（ｗｉｒｅｌｅｓｓ  ｌｏｃａｌ  ａｒｅａ  ｎｅｔｗｏｒｋ）（ＷＬＡＮ）である。しかしながら、ワイヤレス通信システム１００は、他の任意のタイプのワイヤレス通信システムとすることができる。
【００１２】
図２は、図１のワイヤレス通信システム１００のＡＰ１１０とＷＴＲＵ１２０との機能ブロック図である。図２に示されるように、ＡＰ１１０とＷＴＲＵ１２０とは、互いにワイヤレス通信している。典型的なＡＰの中で見出すことができるコンポーネントに加えて、ＡＰ１１０は、プロセッサ２１５と、レシーバ２１６と、トランスミッタ２１７と、アンテナ２１８とを含む。プロセッサ２１５は、本発明に従ってデータパケットを生成し、送信し、そして受信するように構成されている。レシーバ２１６とトランスミッタ２１７とは、プロセッサ２１５と通信している。アンテナ２１８は、ワイヤレスデータの送信および受信を容易にするためにレシーバ２１６とトランスミッタ２１７との両方と通信している。
【００１３】
同様に、典型的なＷＴＲＵの中で見出すことができるコンポーネントに加えて、ＷＴＲＵ１２０は、プロセッサ２２５と、レシーバ２２６と、トランスミッタ２２７と、アンテナ２２８とを含む。プロセッサ２２５は、本発明に従って、データパケットを生成し、送信し、そして受信するように構成されている。レシーバ２２６とトランスミッタ２２７とは、プロセッサ２２５と通信している。アンテナ２２８は、ワイヤレスデータの送信および受信を容易にするためにレシーバ２２６とトランスミッタ２２７との両方と通信している。
【００１４】
本発明は、ＷＴＲＵまたは基地局において実施することができる。本発明は、物理レイヤ（ＰＨＹ）とデジタルベースバンド（ｄｉｇｉｔａｌ  ｂａｓｅｂａｎｄ）との両方に対して適用可能である。本発明は、以下のエアインターフェース（ａｉｒ  ｉｎｔｅｒｆａｃｅ）、すなわち、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）（ＯＦＤＭ）と、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）（ＯＦＤＭＡ）と、シングルキャリア−周波数分割多元接続（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）（ＳＣ−ＦＤＭＡ）と、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ）（ＷＣＤＭＡ）と、ＨＣＲ、ＬＣＲ、およびＴＤＳ−ＣＤＭＡを含む時分割二重化（ｔｉｍｅ  ｄｉｖｉｓｉｏｎ  ｄｕｐｌｅｘ）（ＴＤＤ）と、周波数分割二重化（ｆｒｅｑｕｅｎｃｙ  ｄｉｖｉｓｉｏｎ  ｄｕｐｌｅｘ）（ＦＤＤ）と、ＩＥＥＥ８０２．１６ｅと、ＩＥＥＥ８０２．１１ｎエアインターフェースとを使用したワイヤレス通信システムにおいて実施することができる。
【００１５】
本発明の一実施形態においては、フィードバックは、可変とすることができる。可変フィードバックは、ベースラインコードブックと、１組のローカルコードブックとを含むことができる。この組のローカルコードブックは、ベースラインコードブックと相互に関連づけられる。ローカルコードブックセットの中の各ローカルコードブックは、ベースラインコードブックの中の各コードワードに対応し、そしてその各コードワードに相互に関連づけられる。コードブックの中のコードワードは、ベクトル、行列、またはベクトルのサブセットとすることができる。その相関関係は、例えば、ある種の範囲の、チャネル変化レート、乗り物の速度、ドップラーシフト（Ｄｏｐｐｌｅｒ  ｓｈｉｆｔ）、遅延拡散、周波数選択性、コヒーレンス時間および／またはコヒーレンス帯域幅、ランクの満足などのファクタに基づいてローカルコードブックセットを設計するために使用することができる。ベースラインコードブックが、１６個のコードワードを有し、ローカルコードブックセットの中の各ローカルコードブックが、４個のコードワードを有する場合、フィードバックは、一般的にベースラインコードブックについての４ビットと、ローカルコードブックについての２ビットとを必要とする。フィードバックは、４ビット、２ビット、あるいは４ビットまでの可変数とすることができる。
【００１６】
フィードバックはまた、可変とすることができ、そしてチャネル状態、または他の類似したファクタに基づいたものとすることができることが好ましい。可変フィードバックは、ベースラインコードブックと、複数の組のローカルコードブックとを含むことができる。チャネル状態に応じて、ローカルコードブックセットのうちの１つが使用されることが好ましい。ベースラインコードブックは、あらかじめ決定されていることが好ましい。コードブックの中のコードワードは、ベクトル、行列、ベクトルのサブセットなどとすることができる。各ローカルコードブックは、ベースラインコードブックから生成され、そしてベースラインコードブックのサブセットである。ローカルコードブックセットの中の各ローカルコードブックは、ベースラインコードブックと比べて比較的小さくすることができ、これは、低減させられたシグナリングオーバーヘッドをもたらす。しかしながら、ローカルコードブックセットの中の各ローカルコードブックは、十分に大きくすることができ、その結果、ローカルコードブックは、チャネル変化を追跡することができるようになる。レシーバは、チャネル変化のレート、周波数選択性の程度、または別のチャネル状態に基づいてコードブックの適切な組を選択することができる。これらのファクタは、組み合わせることができる。
【００１７】
図３は、本発明の一実施形態によるベースラインコードブックとローカルコードブックとのブロック図である。図３は、ベースラインコードブック３０２と、ローカルコードブックＸ３０４と、ローカルコードブックセットＸＸ３０５と、ローカルコードブックＹ３０６と、ローカルコードブックセットＹＹ３０７とを示している。この実施形態は、１つのベースラインコードブックと、複数のローカルコードブックセットとを含むべきである。ベースラインコードブック３０２の中の各コードワードは、関連する１組のローカルコードブックを有する。ベースラインコードブック３０２は、例えば、おのおのがコードワードインデックス（ｃｏｄｅｗｏｒｄ  ｉｎｄｅｘ）３１２を有する１６個のコードワード３１０を含んでいる。ローカルコードブックＸ１  ３０４と、ローカルコードブックＹ１  ３０６とは、ベースラインコードブック３０２の中の１６個のコードワード３１０から生成され、そしてコードワードインデックス１（３０８）におけるコードワードに関連づけられる。ローカルコードブックＸ２  ３１４と、ローカルコードブックＹ２  ３１６とは、ベースラインコードブック３０２の中の１６個のコードワード３１０から生成され、そしてコードワードインデックス２におけるコードワードに関連づけられる。ローカルコードブックセットＸＸ３０５は、ローカルコードブックＸ１からＸ１６を含む、コードブックの組である。ローカルコードブックセットＹＹ３０７は、ローカルコードブックセットＹ１からＹ１６を含む、コードブックの組である。図３に示されるように、コードワードインデックス１  ３０８におけるコードワードでは、ローカルコードブックＸ１  ３０４は、ベースラインコードブック３０２からコードワードインデックス５と、コードワードインデックス１２と、コードワードインデックス７と、コードワードインデックス３とに関連するコードワードを取得することにより、生成される。ローカルコードブックＹ１  ３０６は、ベースラインコードブック３０２からコードワードインデックス６と、コードワードインデックス９と、コードワードインデックス４と、コードワードインデックス８とに関連するコードワードを取得することにより、生成される。
【００１８】
ベースラインコードワードのおのおのの間の相関関係は、ローカルコードブック（３０４、３０６）のおのおのを生成するための判断基準として使用されることが好ましい。コードワードの間の相関関係は、ローカルコードブックを生成するための判断基準として使用することができる。これは、タイムドメイン（ｔｉｍｅ  ｄｏｍａｉｎ）において、かつ／または周波数ドメインにおいて行うことができる。低いチャネル変化では、選択されたコードワードは、ローカルコードブックが生成されているときに使用中であるコードワードとの、時間における高い相関関係を有するべきである。高速チャネル変化では、選択されたコードワードは、ローカルコードブックが生成されているときに使用中であるコードワードとの、時間における低い相関関係を有することが好ましい。小さい周波数選択性では、選択されたコードワードは、ローカルコードブックが生成されているときに使用中であるコードワードとの、周波数における高い相関関係を有するべきである。大きな周波数選択性では、選択されたコードワードは、ローカルコードブックが生成されているときに使用中であるコードワードとの、周波数における低い相関関係を有することが好ましい。
【００１９】
もう一度、図３を参照すると、ローカルコードブックＸ１  ３０４と、ローカルコードブックＹ１  ３０６とは、ベースラインコードブック３０２のコードワードインデックス１  ３０８におけるコードワードと関連づけられている。ローカルコードブックＸ１  ３０４は、低速チャネルコードブックである。コードワードインデックス５、１２、７および３に関連するコードワードは、ベースラインコードブック３０２のコードワードインデックス１  ３０８に関連するコードワードと高い相関関係を有する。したがって、ベースラインコードブック３０２のコードワードインデックス１  ３０８に関連するコードワードが、コードブックＸ１  ３０４が生成されるときに使用中である場合、コードブックＸは、コードワードインデックス１（３０８）に関連するコードワードと高い相関関係を有するこれらのコードワードでポピュレートされるべきである。
【００２０】
図３において継続すると、ローカルコードブックＹ１は、高速チャネルコードブックである。コードワードインデックス６、９、４および８に関連するコードワードは、ベースラインコードブック３０２のコードワードインデックス１  ３０８に関連するコードワードと低い相関関係を有する。したがって、ベースラインコードブック３０２のコードワードインデックス１  ３０８に関連するコードワードが、ローカルコードブックＹ１  ３０４が生成されるときに使用中である場合、ローカルコードブックＹ１は、コードワードインデックス１  ３０８に関連するコードワードと低い相関関係を有するこれらのコードワードでポピュレートされるべきである。少なくとも１つのローカルコードブックは、ベースラインコードブック３０２の中のコードワードのおのおのについて生成される。
【００２１】
ローカルコードブックＸ１  ３０４と、ローカルコードブックＹ１  ３０６とは、ベースラインコードブック３０２のコードワードインデックス１  ３０８におけるコードワードに関連づけられる。ローカルコードブックＸ１  ３０４は、「小周波数選択性チャネル（ｓｍａｌｌ  ｆｒｅｑｕｅｎｃｙ  ｓｅｌｅｃｔｉｖｉｔｙ  ｃｈａｎｎｅｌ）」コードブックである。コードワードインデックス５、１２、７および３に関連するコードワードは、ベースラインコードブック３０２のコードワードインデックス１  ３０８に関連するコードワードと、周波数において高い相関関係を有する。したがって、ベースラインコードブック３０２のコードワードインデックス１  ３０８に関連するコードワードが、コードブックＸ１  ３０４が生成されるときに使用中である場合、コードブックＸ１は、コードワードインデックス１  ３０８に関連するコードワードと周波数において高い相関関係を有するこれらのコードワードでポピュレートされるべきである。
【００２２】
ローカルコードブックＹ１は、「大周波数選択性チャネル（ｌａｒｇｅ  ｆｒｅｑｕｅｎｃｙ  ｓｅｌｅｃｔｉｖｉｔｙ  ｃｈａｎｎｅｌ）」コードブックである。コードワードインデックス６、９、４および８に関連するコードワードは、ベースラインコードブック３０２のコードワードインデックス１  ３０８に関連するコードワードと、周波数において低い相関関係を有する。したがって、ベースラインコードブック３０２のコードワードインデックス１  ３０８に関連するコードワードが、ローカルコードブックＹ１  ３０４が生成されるときに使用中である場合、ローカルコードブックＹ１は、コードワードインデックス１  ３０８に関連するコードワードと、周波数において低い相関関係を有するこれらのコードワードでポピュレートされるべきである。少なくとも１つのローカルコードブックは、ベースラインコードブック３０２の中のコードワードのおのおのについて生成される。
【００２３】
チャネル状態が、コードワードインデックス１  ３０８におけるコードワードがフィードバックについて使用されているときに、低速である場合、ローカルコードブックＸ１  ３０４の中のコードワードのうちからの最適なコードワードが、次のフィードバック信号について使用されるように選択される。より詳細には、インデックス１  ３０８におけるコードワードと最高の相関関係を有するコードワードは、ベースラインコードブック３０２からのコードワードインデックス５と、コードワードインデックス１２と、コードワードインデックス７と、コードワードインデックス３とに関連するコードワードから選択される。チャネル状態が、コードワードインデックス１  ３０８におけるコードワードがフィードバックについて使用されているときに、高速である場合、最適なコードワードは、次のフィードバック信号と共に使用するためにローカルコードブックＹ１  ３０６の中のコードワードから選択される。より詳細には、インデックス１  ３０８によって表されるコードワードと最高の相関関係を有するコードワードは、ベースラインコードブック３０２からのコードワードインデックス６と、コードワードインデックス９と、コードワードインデックス４と、コードワードインデックス８とに関連するコードワードから選択される。
【００２４】
ローカルコードブックセットＸＸ３０５と、ローカルコードブックセットＹＹ３０７とは、１つのローカルコードブックセットに組み合わせることができる。そのローカルコードブックセットは、ローカルコードブックセットＸＸ３０５の中の各ローカルコードブックと、ローカルコードブックセットＹＹ３０７の中のその対応するローカルコードブックとの組合せを含むことができる。ローカルコードブックＸ１  ３０４と、ローカルコードブックＹ１  ３０６とは、ローカルコードブックＺ１  ３１８に組み合わせることができる。ローカルコードブックＸ２  ３１４と、ローカルコードブックＹ２  ３１６とは、ローカルコードブックＺ２  ３２０に組み合わせることができる。ローカルコードブックセットＺＺ３２２は、ローカルコードブックＺ１からＺ１６を含む。ローカルコードブックセットＺＺ３２２は、２つ以上のローカルコードブックセットを組み合わせることにより形成することもできる。ローカルコードブックセットＺＺ３０２は、ある種の設計ファクタに基づいてコードワードとローカルコードブックとを設計することにより形成することもできる。フィードバックは、可変にすることができ、そしてたった１つのローカルコードブックセットが使用されるときにチャネル状態に依存する可能性がある。
【００２５】
本発明の追加の一実施形態においては、フィードバックは、チャネル状態または類似したファクタに応じて可変であるべきである。ローカルコードブックは、ベースラインコードブックから生成することができる。この追加の実施形態においては、ローカルコードブックのおのおのは、互いに類似しているコードワード、ならびに異なるコードワードを含むことができる。ローカルコードブックのおのおのにおけるコードワードのこの「オーバーラップ（ｏｖｅｒｌａｐｐｉｎｇ）」は、チャネル変化が、遷移ゾーンにあるときに、すなわちチャネル変化が、低速と高速との間にあるときに、かつ／または周波数選択性が、遷移ゾーンにあるときに、すなわち周波数選択性が小選択性と大選択性との間にあるときに、改善された検出精度をもたらす可能性がある。
【００２６】
図４は、本発明の追加の一実施形態によるベースラインコードブックと、ローカルコードブックとのブロック図である。ローカルコードブックＸ１  ４０４と、ローカルコードブックＹ１  ４０６とは、オーバーラップしている。ローカルコードブックセットＸＸ４０８と、ローカルコードブックセットＹＹ４１０との中の各ローカルコードブックは、オーバーラップしている。ローカルコードブックＸ２  ４１２と、ローカルコードブックＹ２  ４１４とは、オーバーラップしている。図４に示されるように、ローカルコードブックＸ１  ４０４は、ベースラインコードブック４０２のコードワードインデックス５、１２、７および３に対応するコードワードを含んでいる。ローカルコードブックＹ１  ４０６は、ベースラインコードブック４０２のコードワードインデックス６、９、４、および８に対応するコードワード、ならびにベースラインコードブック４０２のコードワードインデックス７および３に対応するコードワードを含んでいる。ローカルコードブックＸ１  ４０４と、ローカルコードブックＹ１  ４０６との両方は、ベースラインコードブック４０２のコードワードインデックス７および３に対応するコードワードを含んでいる。ローカルコードブックＸ１  ４０４とローカルコードブックＹ１  ４０６との両方に含まれるコードワードと、ローカルコードブックＸ１とＹ１との間でオーバーラップする特定のコードワードとの数は、シミュレーションなどの設計プロセスを介して最適化されることが好ましい設計パラメータとすることができる。ローカルコードブックＸ１  ４０４と、ローカルコードブックＹ１  ４０６との両方に含まれるコードワードの数は、シミュレーションなどの設計プロセスを介して最適化されることが好ましい設計パラメータとすることもできる。
【００２７】
図５は、本発明の別の実施形態によるベースラインコードブックとローカルコードブックとのブロック図である。ローカルコードブックＸ１  ５０４は、ローカルコードブックＹ１  ５０６のサブセットである。図５に示されるように、ローカルコードブックＸ１  ５０４は、ベースラインコードブック５０２のコードワードインデックス５、１２、７および３に対応するコードワードを含んでいる。ローカルコードブックＹ１  ５０６は、ベースラインコードブック５０２のコードワードインデックス６、９、４、および８に対応するコードワード、ならびにベースラインコードブック５０２のコードワードインデックス５、１２、７および３に対応するコードワードを含んでいる。ローカルコードブックＸ１  ５０４と、ローカルコードブックＹ１  ５０６との両方は、ベースラインコードブック５０２のコードワードインデックス５、１２、７および３に対応するコードワードを含んでいる。ローカルコードブックＹ１  ５０６は、ローカルコードブックＸ１  ５０４に含まれるすべてのコードワードを含んでいる。ローカルコードブックＸ１  ５０４とローカルコードブックＹ１  ５０６との両方に含まれるコードワードの数は、シミュレーションなどの設計プロセスを介して最適化されることが好ましい設計パラメータとすることができる。
【００２８】
図６は、本発明の別の実施形態による３つのコードブックのブロック図である。この実施形態において、フィードバックは、可変であり、チャネル状態に依存するべきである。さらに、ローカルコードブックは、異なるサイズのものであるべきである。これは、増大させられた設計柔軟性と、複雑さ、オーバーヘッド、および性能の効率的なバランスとをもたらすはずである。図６に示されるように、ローカルコードブックＸ１  ６０４は、ベースラインコードブック６０２のコードワードインデックス５、１２、７および３に対応するコードワードを含んでいる。図６において、ローカルコードブックＸ１  ６０４は、４つのエントリを有する。ローカルコードブックＹ１  ６０６は、ベースラインコードブック６０２のコードワードインデックス６、９、４、８、１０および１４に対応するコードワードを含んでいる。ローカルコードブックＹ１  ６９６は、６つのエントリを有する。ローカルコードブックＸ１  ６０４の中のエントリのどれも、ローカルコードブックＹ１  ６０６と同じではない。図６は、それぞれ４つのエントリと６つのエントリとを有するローカルコードブック（６０４、６０６）を示すが、これは、変更することができる設計パラメータである。
【００２９】
可変なフィードバックは、一般に、１つのベースラインコードブックと、１つまたは複数のローカルコードブックとを用いて実施することができる。ベースラインコードブックは、それだけには限定されないが、２、４、８、１６、３２および６４を含めて、任意の数のエントリを有することができる。ローカルコードブックは、同じ数のエントリ、または異なる数のエントリを有することができる。ローカルコードブックについてのエントリの典型的な数は、２、４、６、８および１６を含むことができるが、他のサイズも、同様に使用することができる。チャネル変化は、一般的にチャネル相関関係、チャネル変化レート、乗り物の速度、ドップラーシフト、あるいは位相変化の観点から測定することができる。チャネル変化の他の測定を使用することもできる。周波数選択性は、一般的に遅延拡散の長さの観点から測定することができる。周波数選択性の他の測定を使用することもできる。
【００３０】
１つのローカルコードブックセットは、２つのローカルコードブックセットの代わりに実施することもできる。コードワードと相関関係との適切な選択を伴う１つまたは２つのローカルコードブックセットの代わりに３つ以上のローカルコードブックセットを実施することもできる。
【００３１】
実施形態
１．ワイヤレス通信システムにおけるワイヤレス送信／受信ユニット（ＷＴＲＵ）。
【００３２】
２．実施形態１記載のＷＴＲＵにおいて、ＷＴＲＵは、ベースラインコードブックに基づいて少なくとも１つのローカルコードブックを生成するように構成される。
【００３３】
３．実施形態１または２記載のＷＴＲＵにおいて、ＷＴＲＵは、少なくとも１つのローカルコードブックからプリコーディングベクトルを選択するように構成される。
【００３４】
４．実施形態３記載のＷＴＲＵにおいて、複数の瞬間チャネル変化を追跡するために十分に時間を調整された間隔で選択されたプリコーディングベクトルをアップデートするように構成した。
【００３５】
５．実施形態３または４記載のＷＴＲＵにおいて、さらに、プリコーディングベクトルの選択することをアップデートするためにフィードバックを使用するように構成した。
【００３６】
６．実施形態１〜５のいずれか１つに記載のＷＴＲＵにおいて、複数のチャネル変化を測定するように構成した。
【００３７】
７．実施形態３〜６のいずれか１つに記載のＷＴＲＵにおいて、ローカルコードブックは、ベースラインコードブックよりも小さい。
【００３８】
８．実施形態３〜６のいずれか１つに記載のＷＴＲＵにおいて、ローカルコードブックは、通信チャネルにおける追跡する変化に対応するようにサイズ変更される。
【００３９】
９．実施形態３〜６のいずれか１つに記載のＷＴＲＵにおいて、ローカルコードブックは、複数の変化する通信チャネル状態に対応するようにサイズ変更される。
【００４０】
１０．実施形態１〜９のいずれか１つに記載のＷＴＲＵにおいて、複数のローカルコードブックを作成するように構成した。
【００４１】
１１．実施形態１０記載のＷＴＲＵにおいて、さらに、通信チャネル変化または通信チャネル状態に基づいて複数のローカルコードブックのうちの１つを選択するように構成した。
【００４２】
１２．実施形態３〜１１のいずれか１つに記載のＷＴＲＵにおいて、さらに、ベースラインコードブックの中のコードワードの相関関係に基づいてローカルコードブックについてのコードワードを選択するように構成した。
【００４３】
１３．実施形態１〜１２のいずれか１つに記載のＷＴＲＵにおいて、第１のローカルコードブックを生成するように構成し、第１のローカルコードブックは、第１の組のコードワードを含む。
【００４４】
１４．実施形態１３記載のＷＴＲＵにおいて、さらに、第２のローカルコードブックを生成するように構成され、第２のローカルコードブックは、第２の組のコードワードを含む。
【００４５】
１５．実施形態１４記載のＷＴＲＵにおいて、第１の組のコードワードは、第２の組のコードワードと相互に排他的である。
【００４６】
１６．実施形態２〜１５のいずれか１つに記載のＷＴＲＵにおいて、さらに、現在使用されるコードワードに対して比較的より高い相関関係を有する、ベースラインコードブックからのコードワードを選択することにより、低速チャネル変化についてのコードワードを選択するように構成した。
【００４７】
１７．実施形態２〜１６のいずれか１つに記載のＷＴＲＵにおいて、さらに、現在使用されるコードワードに対して比較的より低い相関関係を有する、ベースラインコードブックからのコードワードを選択することにより、高速チャネル変化についてのコードワードを選択するように構成した。
【００４８】
１８．実施形態３〜１７のいずれか１つに記載のＷＴＲＵにおいて、さらに、現在使用されるコードワードを除いてベースラインコードブックの中の使用可能なコードワードのうちからローカルコードブックについてのコードワードを選択するように構成した。
【００４９】
１９．実施形態１４〜１８のいずれか１つに記載のＷＴＲＵにおいて、第１の組のコードワードと第２の組のコードワードとは、少なくとも１つの共通なコードワードを含む。
【００５０】
２０．実施形態１４〜１８のいずれか１つに記載のＷＴＲＵにおいて、第２の組のコードワードは、第１の組のコードワードを含む。
【００５１】
２１．実施形態１４〜１８のいずれか１つに記載のＷＴＲＵにおいて、第１の組のコードワードの中のコードワードの数と、第２の組のコードワードの中のコードワードの数とは、等しい。
【００５２】
２２．実施形態１４〜１８のいずれか１つに記載のＷＴＲＵにおいて、第１の組のコードワードの中のコードワードの数と、第２の組のコードワードの中のコードワードの数とは、等しくない。
【００５３】
２３．実施形態５〜２２のいずれか１つに記載のＷＴＲＵにおいて、フィードバックは、ダウンリンクチャネルについて使用される。
【００５４】
２４．実施形態５〜２２のいずれか１つに記載のＷＴＲＵにおいて、フィードバックは、アップリンクチャネルについて使用される。
【００５５】
２５．実施形態１〜２４のいずれか１つに記載のＷＴＲＵにおいて、ＷＴＲＵは、多入力／多出力（ＭＩＭＯ）システムにおいて動作するように構成される。
【００５６】
２６．実施形態１〜２５のいずれか１つに記載のＷＴＲＵにおいて、ＷＴＲＵは、チャネル相関関係と、チャネル変化レートと、移動速度と、ドップラーシフトと、位相変化とを測定するように構成される。
【００５７】
２７．ワイヤレス通信システムにおける、フィードバックを決定する方法。
【００５８】
２８．実施形態２７記載の方法において、ベースラインコードブックに基づいて少なくとも１つのローカルコードブックを生成するステップをさらに含む。
【００５９】
２９．実施形態２７又は２８記載の方法において、少なくとも１つのローカルコードブックからプリコーディングベクトルを選択するステップをさらに含む。
【００６０】
３０．実施形態２７、２８、又は２９記載の方法において、複数の瞬間チャネル変化を追跡するために十分に時間を調整された間隔で選択されたプリコーディングベクトルをアップデートするステップをさらに含む。
【００６１】
３１．実施形態３０記載の方法において、選択されたプリコーディングベクトルをアップデートするステップは、フィードバックに基づくものである。
【００６２】
３２．実施形態２７〜３１のいずれか１つに記載の方法において、複数のチャネル変化とチャネル状態とを測定するステップをさらに含む。
【００６３】
３３．実施形態３２記載の方法において、チャネル変化またはチャネル状態に基づいてローカルコードブックをサイズ変更するステップをさらに含む。
【００６４】
３４．実施形態２８〜３３のいずれか１つに記載の方法において、ローカルコードブックは、ベースラインコードブックよりも小さい。
【００６５】
３５．実施形態３４記載の方法において、複数のローカルコードブックを作成するステップをさらに含む。
【００６６】
３６．実施形態３５記載の方法において、チャネル変化またはチャネル状態に基づいて複数のローカルコードブックのうちの１つを選択するステップをさらに含む。
【００６７】
３７．実施形態２８〜３６のいずれか１つに記載の方法において、ベースラインコードブックの中のコードワードの相関関係に基づいてローカルコードブックについてのコードワードを選択するステップをさらに含む。
【００６８】
３８．実施形態２７〜３７のいずれか１つに記載の方法において、第１のローカルコードブックを生成するステップをさらに含み、第１のローカルコードブックは、第１の組のコードワードを含む。
【００６９】
３９．実施形態３８記載の方法において、第２のローカルコードブックを生成するステップをさらに含み、第２のローカルコードブックは、第２の組のコードワードを含む。
【００７０】
４０．実施形態３８のいずれか１つに記載の方法において、第１の組のコードワードと、第２の組のコードワードとは、相互に排他的である。
【００７１】
４１．実施形態３８記載の方法において、第１の組のコードワードと、第２の組のコードワードとは、少なくとも１つの共通なコードワードを含む。
【００７２】
４２．実施形態３８記載の方法において、第２の組のコードワードは、第１の組のコードワードを含む。
【００７３】
４３．実施形態３８〜４２のいずれか１つに記載の方法において、第１の組のコードワードの中のコードワードの数と、第２の組のコードワードの中のコードワードの数とは、等しい。
【００７４】
４４．実施形態３８〜４２のいずれか１つに記載の方法において、第１の組のコードワードの中のコードワードの数と、第２の組のコードワードの中のコードワードの数とは、等しくない。
【００７５】
４５．実施形態２７〜４４のいずれか１つに記載の方法において、チャネル相関関係と、チャネル変化レートと、移動速度と、ドップラーシフトと、位相変化とを測定するステップをさらに含む。
【００７６】
４６．実施形態２８〜４５のいずれか１つに記載の方法において、現在使用されるコードワードに対して比較的より高い相関関係を有する、ベースラインコードブックからのコードワードを選択することにより、低速チャネル変化についてのコードワードを選択するステップをさらに含む。
【００７７】
４７．実施形態２８〜４６のいずれか１つに記載の方法において、現在使用されるコードワードに対して比較的より低い相関関係を有する、ベースラインコードブックからのコードワードを選択することにより、高速チャネル変化についてのコードワードを選択するステップをさらに含む。
【００７８】
４８．実施形態２８〜４５のいずれか１つに記載の方法において、現在使用されるコードワードを除いてベースラインコードブックの中の使用可能なコードワードのうちからローカルコードブックについてのコードワードを選択することをさらに含む。
【００７９】
本発明の特徴および要素は、特定の組合せにおける好ましい実施形態の形で説明されるが、おのおのの特徴または要素は、好ましい実施形態の他の特徴および要素なしに単独で、あるいは本発明の他の特徴および要素を伴う、またはそれらを伴わない様々な組合せの形で使用することができる。本発明において提供される方法またはフローチャートは、汎用コンピュータまたはプロセッサによる実行のためのコンピュータ読取り可能ストレージ媒体において有形に実施されるコンピュータプログラム、ソフトウェア、またはファームウェアの形で実施することができる。コンピュータ読取り可能ストレージ媒体の例は、読取り専用メモリ（ｒｅａｄ  ｏｎｌｙ  ｍｅｍｏｒｙ）（ＲＯＭ）と、ランダムアクセスメモリ（ｒａｎｄｏｍ  ａｃｃｅｓｓ  ｍｅｍｏｒｙ）（ＲＡＭ）と、レジスタ、キャッシュメモリと、半導体メモリデバイスと、内蔵ハードディスクや着脱可能ディスクなどの磁気媒体と、光磁気媒体と、ＣＤ−ＲＯＭディスクやデジタル多用途ディスク（ｄｉｇｉｔａｌ  ｖｅｒｓａｔｉｌｅ  ｄｉｓｋ）（ＤＶＤ）などの光媒体とを含んでいる。
【００８０】
適切なプロセッサは、例として、汎用プロセッサ、専用プロセッサ、従来のプロセッサ、デジタル信号プロセッサ（ｄｉｇｉｔａｌ  ｓｉｇｎａｌ  ｐｒｏｃｅｓｓｏｒ）（ＤＳＰ）、複数のマイクロプロセッサ、ＤＳＰコアに関連した１つまたは複数のマイクロプロセッサ、コントローラ、マイクロコントローラ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ）（ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ）（ＦＰＧＡ）回路、他の任意のタイプの集積回路（ｉｎｔｅｇｒａｔｅｄ  ｃｉｒｃｕｉｔ）（ＩＣ）、および／または状態機械を含む。ソフトウェアに関連したプロセッサは、ワイヤレス送信受信ユニット（ｗｉｒｅｌｅｓｓ  ｔｒａｎｓｍｉｔ  ｒｅｃｅｉｖｅ  ｕｎｉｔ）（ＷＴＲＵ）、ユーザ装置（ＵＥ）、端末、基地局、無線ネットワークコントローラ（ｒａｄｉｏ  ｎｅｔｗｏｒｋ  ｃｏｎｔｒｏｌｌｅｒ）（ＲＮＣ）、または任意のホストコンピュータの中で使用するための無線周波数トランシーバを実施するために使用することができる。ＷＴＲＵは、カメラ、ビデオカメラモジュール、テレビ電話（ｖｉｄｅｏｐｈｏｎｅ）、スピーカフォン（ｓｐｅａｋｅｒｐｈｏｎｅ）、振動デバイス、スピーカ、マイクロフォン、テレビジョントランシーバ、ハンズフリーヘッドセット（ｈａｎｄｓ  ｆｒｅｅ  ｈｅａｄｓｅｔ）、キーボード、ブルートゥース（登録商標）（Ｂｌｕｅｔｏｏｔｈ(R)）モジュール、周波数変調（ｆｒｅｑｕｅｎｃｙ  ｍｏｄｕｌａｔｅｄ）（ＦＭ）ラジオユニット（ｒａｄｉｏ  ｕｎｉｔ）、液晶ディスプレイ（ｌｉｑｕｉｄ  ｃｒｙｓｔａｌ  ｄｉｓｐｌａｙ）（ＬＣＤ）ディスプレイユニット、有機発光ダイオード（ｏｒｇａｎｉｃ  ｌｉｇｈｔ−ｅｍｉｔｔｉｎｇ  ｄｉｏｄｅ）（ＯＬＥＤ）ディスプレイユニット、デジタルミュージックプレーヤ（ｄｉｇｉｔａｌ  ｍｕｓｉｃ  ｐｌａｙｅｒ）、メディアプレーヤ、ビデオゲームプレーヤモジュール（ｖｉｄｅｏ  ｇａｍｅ  ｐｌａｙｅｒ  ｍｏｄｕｌｅ）、インターネットブラウザ、および／または任意のワイヤレスローカルエリアネットワーク（ＷＬＡＮ）モジュールなど、ハードウェアおよび／またはソフトウェアの形で実施されるモジュールに関連して使用することができる。
【図１】
2009536805.tif 000003
【図２】
2009536805.tif 000004
【図３】
2009536805.tif 000005
【図４】
2009536805.tif 000006
【図５】
2009536805.tif 000007
【図６】
2009536805.tif 000008
【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
ワイヤレス送信受信ユニット（ＷＴＲＵ）であって、
ベースラインコードブックに基づいて少なくとも１つのローカルコードブックを生成する手段と、
前記少なくとも１つのローカルコードブックからプリコーディングベクトルを選択する手段と、
複数の瞬間チャネル変化を追跡するために十分に時間を調整された間隔で、選択されたプリコーディングベクトルをアップデートする手段と
を具えて構成されたことを特徴とするワイヤレス送信受信ユニット（ＷＴＲＵ）。
【請求項２】
さらに、プリコーディングベクトルの前記選択することをアップデートするためにフィードバックを使用するように構成されていることを特徴とする請求項１記載のワイヤレス送信受信ユニット（ＷＴＲＵ）。
【請求項３】
さらに、複数のチャネル変化を測定するように構成されていることを特徴とする請求項１記載のワイヤレス送信受信ユニット（ＷＴＲＵ）。
【請求項４】
前記ローカルコードブックは、前記ベースラインコードブックよりも小さいことを特徴とする請求項１記載のワイヤレス送信受信ユニット（ＷＴＲＵ）。
【請求項５】
前記ローカルコードブックは、通信チャネルにおける追跡する変化に対応するようにサイズ変更されることを特徴とする請求項１記載のワイヤレス送信受信ユニット（ＷＴＲＵ）。
【請求項６】
前記ローカルコードブックは、複数の変化する通信チャネル状態に対応するようにサイズ変更されることを特徴とする請求項１記載のワイヤレス送信受信ユニット（ＷＴＲＵ）。
【請求項７】
さらに、
複数のローカルコードブックを作成する手段と、
通信チャネル変化または通信チャネル状態に基づいて前記複数のローカルコードブックのうちの１つを選択する手段と
を具えて構成されたことを特徴とする請求項１記載のワイヤレス送信受信ユニット（ＷＴＲＵ）。
【請求項８】
さらに、前記ベースラインコードブックの中のコードワードの相関関係に基づいて前記ローカルコードブックについてのコードワードを選択するように構成されていることを特徴とする請求項１記載のワイヤレス送信受信ユニット（ＷＴＲＵ）。
【請求項９】
さらに、第１のローカルコードブックを生成するように構成されており、前記第１のローカルコードブックは、第１の組のコードワードと第２のローカルコードブックとを含み、前記第２のローカルコードブックは、第２の組のコードワードを含み、
前記第１の組のコードワードは、前記第２の組のコードワードとは相互に排他的であることを特徴とする請求項１記載のワイヤレス送信受信ユニット（ＷＴＲＵ）。
【請求項１０】
さらに、現在使用されるコードワードに対する比較的より高い相関関係を有する、前記ベースラインコードブックからのコードワードを選択することにより低速チャネル変化についてのコードワードを選択するように構成されていることを特徴とする請求項１記載のワイヤレス送信受信ユニット（ＷＴＲＵ）。
【請求項１１】
さらに、現在使用されるコードワードに対する比較的より低い相関関係を有する、前記ベースラインコードブックからのコードワードを選択することにより高速チャネル変化についてのコードワードを選択するように構成されていることを特徴とする請求項１記載のワイヤレス送信受信ユニット（ＷＴＲＵ）。
【請求項１２】
さらに、現在使用されるコードワードを除いて前記ベースラインコードブックの中の前記使用可能なコードワードのうちから前記ローカルコードブックについてのコードワードを選択するように構成されていることを特徴とする請求項１記載のワイヤレス送信受信ユニット（ＷＴＲＵ）。
【請求項１３】
前記第１の組のコードワードと、前記第２の組のコードワードとは、少なくとも１つの共通なコードワードを含むことを特徴とする請求項１０記載のワイヤレス送信受信ユニット（ＷＴＲＵ）。
【請求項１４】
前記第２の組のコードワードは、前記第１の組のコードワードを含むことを特徴とする請求項１０記載のワイヤレス送信受信ユニット（ＷＴＲＵ）。
【請求項１５】
フィードバックを決定する方法であって、
ベースラインコードブックに基づいて少なくとも１つのローカルコードブックを生成するステップと、
前記少なくとも１つのローカルコードブックからプリコーディングベクトルを選択するステップと、
複数の瞬間チャネル変化を追跡するために十分に時間を調整された間隔で、選択されたプリコーディングベクトルをアップデートするステップと
を具えたことを特徴とする方法。
【国際調査報告】
2009536805.tif 000009
2009536805.tif 000010